(57)【特許請求の範囲】
【請求項１】
トレイの表面側に載置された用紙の給紙方向と直交する用紙幅方向に延出して前記トレイに形成されたスリット状の溝と、前記トレイの表面側に前記溝の長手方向に沿ってスライド自在に取り付けられたサイドガイドと、前記サイドガイドから突出されて前記溝にスライド自在に挿通されたスライド軸部と、前記トレイの裏面側において前記溝の長手方向に沿った縁部に嵌合することにより前記サイドガイドを前記溝から抜け止めする前記スライド軸部に形成された抜け止め部と、前記トレイの表面側における前記溝の長手方向に沿った縁部に設けられたラック形状の噛み合い部と、この噛み合い部と係脱自在に噛み合う噛み合い爪を備えてこの噛み合い爪が前記噛み合い部と噛み合う向きに付勢されて前記サイドガイドに取り付けられた噛み合い操作部と、前記トレイの裏面側において前記溝の長手方向の縁部に嵌合され、前記トレイを裏面側から押圧して前記噛み合い爪とにより前記トレイを挟み付けるように前記サイドガイドに一体に形成された押圧部とを有することを特徴とする用紙幅ガイド装置。
【請求項２】
抜け止め部と押圧部とをトレイの表面側から溝に着脱する取付穴をこの溝の長手方向に沿った一端側にこの溝より幅広に形成し、スライド軸部に前記トレイの裏面側に延出して可撓性を有するアーム部を形成し、このアーム部の先端に前記溝の長手方向と直交する外側向きに屈曲した爪部を形成し、前記爪部が嵌合してスライドするガイド部を前記トレイの裏面側における前記溝の縁部にこの溝の長手方向に沿って形成し、前記溝の長手方向に沿った一端側であって前記抜け止め部と前記押圧部とが前記取付穴に対向する直前位置で前記爪部が干渉してこの爪部のスライド動作を規制する段部を前記ガイド部に形成したことを特徴とする請求項１記載の用紙幅ガイド装置。
【請求項３】
トレイの裏面側における溝の長手方向に沿った縁部に抜け止め部と押圧部とが嵌合されるレールガイド部を形成したことを特徴とする請求項１又は２記載の用紙幅ガイド装置。
【請求項４】
噛み合い部と噛み合い爪との噛み合い部を、サイドガイドがトレイの表面側に載置された用紙の用紙幅方向の側端から離反する方向にスライドすることを規制するラチェット構造としたことを特徴とする請求項１又は２記載の用紙幅ガイド装置。
【請求項５】
用紙が搬送される用紙搬送路と、この用紙搬送路を搬送される用紙の画像を読み取る画像読取部とこの用紙搬送路を搬送される用紙に画像を形成する画像形成部との少なくとも一方と、請求項１ないし４のいずれか一記載の用紙幅ガイド装置とを有することを特徴とする画像処理装置。
【発明の詳細な説明】
【０００１】
【発明の属する技術分野】
本発明は、トレイに載置された原稿や記録紙等の用紙におけるその用紙の給紙方向と直交する用紙幅方向の側端をガイドする用紙幅ガイド装置及びこれを用いた画像処理装置に関する。
【０００２】
【従来の技術】
従来、プリンタや複写機やスキャナ等の画像処理装置においては、原稿や記録紙等の用紙を載置するトレイが設けられており、このトレイには、トレイに載置された用紙の側端を揃えたりトレイから給紙される用紙の側端をガイドする用紙幅ガイド装置が設けられている。
【０００３】
このような用紙幅ガイド装置は、トレイに載置された用紙の給紙方向と直交する用紙幅方向に延出してトレイに形成されたスリット状の溝と、この溝にスライド自在及び任意位置固定自在に取り付けられたサイドガイドとを備えている。
【０００４】
トレイの表面側には、溝の長手方向に沿った縁部にラック状の噛み合い部が形成されている。サイドガイドには、溝にスライド自在に挿通されたスライド軸部と、このスライド軸部に形成されてトレイの裏面側で溝の長手方向の縁部に係合することによりサイドガイドを溝から抜け止めする抜け止め部と、噛み合い部に係脱自在に噛み合う噛み合い爪を備えた噛み合い操作部とが設けられている。この噛み合い操作部は可撓性を有してサイドガイドに取り付けられており、この可撓性により噛み合い爪が噛み合い部と係脱自在に噛み合い、かつ、噛み合い爪が噛み合い部と噛み合う方向へ付勢されている。
【０００５】
このような用紙幅ガイド装置では、噛み合い操作部を操作して噛み合い爪と噛み合い部との噛み合い状態を解除することにより、サイドガイドが溝に沿ってスライド可能となる。サイドガイドを溝に沿って任意の位置へスライドさせた後、その位置で噛み合い爪と噛み合い部とを噛み合わせることによりサイドガイドが位置固定される。
【０００６】
そして、噛み合い爪と噛み合い部とを噛み合わせてサイドガイドを位置固定したときに、このサイドガイドをトレイに載置した用紙の側端に当接させることにより、トレイに載置された用紙の側端を揃え、及び、用紙がトレイから給紙されるときにスキューしないようにガイドする。
【０００７】
【発明が解決しようとする課題】
しかし、サイドガイドの位置固定を、噛み合い操作部の可撓性を利用して噛み合い爪を噛み合い部に噛み合わせることのみで行なっているため、給紙動作時の振動などによりこの噛み合いが外れ易く、サイドガイドが用紙の側端から離反する位置へ位置ズレしやすい。給紙動作中にサイドガイドが位置ズレして用紙の側端から離反すると、サイドガイドによる用紙の側端をガイドする機能が低下し、給紙される用紙がスキューやジャムを発生しやすくなる。
【０００８】
なお、トレイの裏面側に板バネを配置してこの板バネをサイドガイドにネジ止めし、板バネの付勢力で噛み合い爪と噛み合い部とを確実に噛み合わせてサイドガイドの位置ズレを防止するようにした用紙幅ガイド装置がある。しかし、このような用紙幅ガイド装置では、部品点数と組立工程数とが増え、コスト高になる。
【０００９】
また、噛み合い爪と噛み合い部との噛み合い状態を解除してサイドガイドを溝に沿ってスライドさせるとき、サイドガイドがトレイに対してガタツキを生じやすく、サイドガイドのスライド操作を円滑に行なえない。
【００１０】
そこで本発明は、サイドガイドを簡単な構造により任意のスライド位置で確実に位置固定することができ、しかも、サイドガイドのスライド操作を円滑に行なうことができる用紙幅ガイド装置及びこれを用いた画像処理装置を提供することを目的とする。
【００１１】
【課題を解決するための手段】
請求項１記載の発明の用紙幅ガイド装置は、トレイの表面側に載置された用紙の給紙方向と直交する用紙幅方向に延出して前記トレイに形成されたスリット状の溝と、前記トレイの表面側に前記溝の長手方向に沿ってスライド自在に取り付けられたサイドガイドと、前記サイドガイドから突出されて前記溝にスライド自在に挿通されたスライド軸部と、前記トレイの裏面側において前記溝の長手方向に沿った縁部に嵌合することにより前記サイドガイドを前記溝から抜け止めする前記スライド軸部に形成された抜け止め部と、前記トレイの表面側における前記溝の長手方向に沿った縁部に設けられたラック形状の噛み合い部と、この噛み合い部と係脱自在に噛み合う噛み合い爪を備えてこの噛み合い爪が前記噛み合い部と噛み合う向きに付勢されて前記サイドガイドに取り付けられた噛み合い操作部と、前記トレイの裏面側において前記溝の長手方向の縁部に嵌合され、前記トレイを裏面側から押圧して前記噛み合い爪とにより前記トレイを挟み付けるように前記サイドガイドに一体に形成された押圧部とを有する。
従って、溝に挿通したスライド軸部を溝の長手方向に沿ってスライドさせることにより、サイドガイドはトレイに載置された用紙の用紙幅方向に沿ってスライドし、このとき、抜け止め部をトレイの裏面側において溝の長手方向の縁部に嵌合させることにより、サイドガイドが溝から抜け止めされる。噛み合い爪と噛み合い部とを噛み合わせることにより、サイドガイドが溝に沿ってスライドすることが規制され、サイドガイドが位置固定される。サイドガイドを位置固定したとき、トレイの裏面側において溝の長手方向の縁部に押圧部が嵌合し、この押圧部と噛み合い爪とによりトレイが裏面側と表面側とから挟み付けられるため、噛み合い爪と噛み合い部との噛み合い状態が強固になり、サイドガイドの位置固定が確実に行なわれ、噛み合い爪と噛み合い部との噛み合いが外れてサイドガイドが位置ズレすることが防止される。噛み合い操作部を操作して噛み合い爪と噛み合い部との噛み合い状態を解除することにより、サイドガイドが溝の長手方向に沿ってスライド自在になる。サイドガイドを溝に沿ってスライドさせたとき、押圧部の押圧によりサイドガイドとトレイの表面側との間でガタツキを生じなく、サイドガイドのスライド動作が円滑になる。
【００１２】
請求項２記載の発明の用紙幅ガイド装置は、請求項１記載の発明の用紙幅ガイド装置において、抜け止め部と押圧部とをトレイの表面側から溝に着脱する取付穴をこの溝の長手方向に沿った一端側にこの溝より幅広に形成し、スライド軸部に前記トレイの裏面側に延出して可撓性を有するアーム部を形成し、このアーム部の先端に前記溝の長手方向と直交する外側向きに屈曲した爪部を形成し、前記爪部が嵌合してスライドするガイド部を前記トレイの裏面側における前記溝の縁部にこの溝の長手方向に沿って形成し、前記溝の長手方向に沿った一端側であって前記抜け止め部と前記押圧部とが前記取付穴に対向する直前位置で前記爪部が干渉してこの爪部のスライド動作を規制する段部を前記ガイド部に形成した。
従って、サイドガイドをスライドさせるとき、爪部がガイド部に嵌合してスライドする。サイドガイドを溝の一端側の所定位置へスライドさせると、爪部が段部に干渉することによりこの爪部及びサイドガイドのスライド動作が規制され、爪部及びサイドガイドのスライド動作が規制された後に、アーム部を撓ませて爪部のガイド部への嵌合と段部への干渉とを解除し、サイドガイドをさらに溝の一端側へスライドさせて抜け止め部と押圧部とを取付穴に対向させる。そして、抜け止め部と押圧部とを取付穴から抜き取り、サイドガイドをトレイから取り外す。このため、サイドガイドを溝に沿ってスライドさせているとき、抜け止め部と押圧部とが取付穴に対向してサイドガイドが溝から外れるということが起こらない。
【００１３】
請求項３記載の発明の用紙幅ガイド装置は、請求項１又は２記載の発明の用紙幅ガイド装置において、トレイの裏面側における溝の長手方向に沿った縁部に抜け止め部と押圧部とが嵌合されるレールガイド部を形成した。
従って、レールガイド部により溝の長手方向に沿った縁部が補強され、溝の長手方向に沿ったサイドガイドのスライド動作がスムーズに行なわれる。
【００１４】
請求項４記載の発明の用紙幅ガイド装置は、請求項１又は２記載の発明の用紙幅ガイド装置において、噛み合い部と噛み合い爪との噛み合い部を、サイドガイドがトレイの表面側に載置された用紙の用紙幅方向の側端から離反する方向にスライドすることを規制するラチェット構造とした。
従って、任意の位置で位置固定したサイドガイドが、トレイの表面側に載置された用紙の用紙幅方向の側端から離反する方向にスライドすることが確実に防止される。一方、トレイの表面側に載置された用紙の用紙幅を狭くする方向へサイドガイドをスライドさせるときは、噛み合い爪と噛み合い部とを噛み合わせた状態のままサイドガイドをスライドさせることができ、サイドガイドの固定位置の微調整を容易に行なえる。
【００１５】
請求項５記載の発明の画像処理装置は、用紙が搬送される用紙搬送路と、この用紙搬送路を搬送される用紙の画像を読み取る画像読取部とこの用紙搬送経路を搬送される用紙に画像を形成する画像形成部との少なくとも一方と、請求項１ないし４のいずれか一記載の用紙幅ガイド装置とを有する。
従って、この画像処理装置では、給紙動作時の振動などによりサイドガイドの噛み合い爪とトレイの噛み合い部との噛み合いが外れにくく、サイドガイドが用紙の用紙幅方向の側端から離反する位置へスライドしない。このため、サイドガイドはトレイに載置された用紙の用紙幅方向の側端を確実にガイドすることになり、トレイから給紙される用紙のスキューやこのスキューが原因となるジャムの発生が防止され、用紙に対する画像形成や用紙の画像読み取りなどの画像処理の精度が良くなる。
【００１６】
【発明の実施の形態】
本発明の実施の一形態を図面に基づいて説明する。まず、本発明の用紙幅ガイド装置を用いた画像処理装置である複写機の全体構造を図１に基づいて説明する。複写機の本体ケース１の上部には、原稿が載置される原稿トレイ２とこの原稿トレイ２から給紙された原稿の画像を読み取る画像読取部３とが設けられている。本体ケース１内には、前記画像読取部３で読み取った原稿の画像を形成する画像形成部４が収納されている。原稿トレイ２は、実線で示した水平位置と二点鎖線で示した起立位置とへ回動自在に設けられている。
【００１７】
前記画像形成部４は、プロセスカートリッジ５と、レーザー書込ユニット６と、定着ユニット７とにより構成されている。プロセスカートリッジ５は、感光体ドラム８、トナー収納部９、現像ローラ１０等を備え、本体ケース１内に着脱自在に取り付けられている。
【００１８】
前記本体ケース１内には、前記プロセスカートリッジ５の下方に位置して用紙である記録紙１１が搬送される用紙搬送路１２が形成されている。この用紙搬送路１２を搬送される記録紙１１の搬送方向上流側には、記録紙１１を斜めに立てかけた状態で載置するトレイである給紙トレイ１３が設けられ、用紙搬送路１２内を搬送される記録紙１１の搬送方向下流側には前記定着ユニット７を通過した記録紙１１が排紙される排紙トレイ１４が設けられている。
【００１９】
前記給紙トレイ１３には、この給紙トレイ１３の表面側に載置された記録紙１１の給紙方向（図２における矢印Ｘ方向）と直交する用紙幅方向に延出したスリット状の溝１５が形成されている。また、給紙トレイ１３の表面側には、この給紙トレイ１３の表面側に載置された記録紙１１の用紙幅方向の一側が当接される固定ガイド１６と、記録紙１１の用紙幅方向の他側が当接されるサイドガイド１７とが取り付けられている。固定ガイド１６は給紙トレイ１３の側部に固定され、サイドガイド１７は前記溝１５の長手方向に沿ってスライド自在に設けられている。
【００２０】
前記給紙トレイ１３の裏面側における前記溝１５の長手方向に沿った縁部には、レールガイド部１８とガイド部１９とが形成されている。前記サイドガイド１７からは一対のスライド軸部２０が突出され、スライド軸部２０の先端からはアーム部２１が延出されている。これらのアーム部２１とスライド軸部２０とは、前記溝１５の長手方向と直交する幅方向へ撓むことができる可撓性を有している。前記スライド軸部２０には、前記レールガイド部１８に嵌合することによりサイドガイド１７を溝１５から抜け止めする抜け止め部２２が形成されている。前記アーム部２１の先端には、前記溝１５の幅方向に屈曲して前記ガイド部１９に嵌合する爪部２３が形成されている。
【００２１】
前記給紙トレイ１３の表面側における前記溝１５の長手方向に沿った縁部には、ラック形状の噛み合い部２４が形成されている。前記サイドガイド１７には、可撓性を有する複数の連結片２５を介して固定された噛み合い操作部２６が一体に形成されている。この噛み合い操作部２６には、前記噛み合い部２４と係脱自在に噛み合う噛み合い爪２７が一体に形成されている。この噛み合い操作部２６は、連結片２５の付勢力により、噛み合い爪２７が噛み合い部２４と噛み合う向きに付勢されている。前記噛み合い部２４と噛み合い爪２７との噛み合い部は、噛み合い部２４と噛み合い爪２７とが噛み合った状態において、前記サイドガイド１７に外力が作用したときにこのサイドガイド１７が前記給紙トレイ１３の表面側に載置された記録紙１１の用紙幅方向の側端から離反する方向にスライドすることを規制するラチェット構造に形成されている。
【００２２】
前記サイドガイド１７には、前記給紙トレイ１３の裏面側に延出して前記レールガイド部１８に嵌合し、前記噛み合い爪２７が前記噛み合い部２４と噛み合う向きに前記給紙トレイ１３を裏面側から押圧するように押圧部２８が一体に形成されている。
【００２３】
前記溝１５には、前記抜け止め部２２と前記押圧部２８とを給紙トレイ１３の表面側から溝１５に着脱する取付穴２９，３０がこの溝１５の一端側に溝１５より幅広に形成されている。これらの取付穴２９，３０の間隔は、前記抜け止め部２２と前記押圧部２８との間隔より僅かに狭く形成されている。前記ガイド部１９には前記爪部２３と干渉してこの爪部２３及びサイドガイド１７のスライド動作を規制する段部３１が形成されている。この段部３１は、前記溝１５の長手方向に沿った一端側であって前記抜け止め部２２と前記押圧部２８とが前記取付穴２９，３０に対向する直前位置で前記爪部２３が干渉する位置に形成されている。
【００２４】
このような構成において、給紙トレイ１３の表面側に載置された記録紙１１は用紙幅方向の両端に固定ガイド１６とサイドガイド１７とが当接され、給紙動作により最上位の記録紙１１から順に給紙され、用紙搬送路１２内を搬送される。用紙搬送路１２内を搬送される記録紙１１に対して、画像読取部３で読み取った原稿の画像が画像形成部４で画像形成され、形成された画像が定着された記録紙１１が排紙トレイ１４上に排紙される。
【００２５】
給紙トレイ１３において、サイドガイド１７は溝１５に沿ってスライド自在に設けられており、サイドガイド１７を給紙トレイ１３の表面側に載置された記録紙１１の用紙幅方向に沿って任意の位置へスライドさせる。サイドガイド１７は、抜け止め部２２と押圧部２８とをレールガイド部１８に嵌合させ、及び、爪部２３をガイド部１９に嵌合させることにより、溝１５から抜け止めされている。また、給紙トレイ１３の裏面側における溝１５の縁部にレールガイド部１８が形成されているので、このレールガイド部１８を形成することにより溝１５の長手方向に沿った縁部が補強され、溝１５の長手方向に沿ったサイドガイド１７のスライド動作がスムーズに行なわれる。
【００２６】
サイドガイド１７を任意の位置へスライドさせた状態において、噛み合い操作部２６に一体に形成された噛み合い爪２７が噛み合い部２４と噛み合い、これらの噛み合い爪２７と噛み合い部２４との噛み合いにより、サイドガイド１７が位置固定される。
【００２７】
噛み合い爪２７と噛み合い部２４とが噛み合ってサイドガイド１７が位置固定されているとき、レールガイド部１８に嵌合している押圧部２８が給紙トレイ１３を裏面側から押圧し、これにより、押圧部２８と噛み合い爪２７とにより給紙トレイ１３が裏面側と表面側とから挟み付けられる。このため、噛み合い爪２７と噛み合い部２４との噛み合い状態が強固になり、サイドガイド１７の位置固定が確実に行なわれる。このため、給紙動作中にサイドガイド１７がガイドする記録紙１１の側端から離反する方向へスライドすることが防止され、給紙される記録紙１１がスキューやこのスキューが原因となるジャムを発生することが防止される。
【００２８】
また、これらの噛み合い爪２７と噛み合い部２４との噛み合い部においては、サイドガイド１７が給紙トレイ１３の表面側に載置された記録紙１１の用紙幅方向の側端から離反する方向にスライドすることを規制するラチェット構造とされているため、サイドガイド１７が、ガイドする記録紙１１の用紙幅を拡げる方向へスライドすることを確実に防止できる。一方、ガイドする記録紙１１の用紙幅を狭くする方向へサイドガイド１７をスライドさせるときは、噛み合い爪２７と噛み合い部２４とを噛み合わせた状態のままサイドガイド１７をスライドさせることができ、サイドガイド１７の固定位置の微調整を容易に行なえる。
【００２９】
サイドガイド１７をスライドさせる場合には、サイドガイド１７と噛み合い操作部２６とを指でつまみ、噛み合い操作部２６を撓ませることにより噛み合い爪２７と噛み合い部２４との噛み合いを解除する。そして、噛み合い爪２７と噛み合い部２４との噛み合いを解除したままサイドガイド１７を溝１５の長手方向に沿って押すことにより、サイドガイド１７が溝１５の長手方向に沿ってスライドする。このスライド操作時において、押圧部２８の押圧力によりサイドガイド１７と給紙トレイ１３の表面側との間でガタツキが生じなくなり、サイドガイド１７のスライド操作を円滑に行なえる。
【００３０】
サイドガイド１７を給紙トレイ１３から取り外す場合には、サイドガイド１７を溝１５の一端側である取付穴２９，３０が形成されている側へスライドさせる。サイドガイド１７を溝１５の一端側の所定位置へスライドさせると、爪部２３が段部３１に干渉してその方向へのスライド動作が規制される。爪部２３が段部３１に干渉した位置では、抜け止め部２２と押圧部２８とは取付穴２９，３０に対向しておらず、サイドガイド１７は溝１５から外れない。そこで、爪部２３が段部３１に干渉した後、アーム部２１を内側へ撓ませることにより爪部２３のガイド部１９への嵌合と段部３１への干渉とを解除し、サイドガイド１７をさらに溝１５の一端側へスライドさせ、抜け止め部２２と押圧部２８とを取付穴２９，３０に対向させる。そして、抜け止め部２２と押圧部２８とを取付穴２９，３０から抜き取り、サイドガイド１７を給紙トレイ１３から取り外す。なお、取付穴２９，３０の間隔が抜け止め部２２と押圧部２８との間隔より僅かに狭く形成されているため、抜け止め部２２を取付穴２９から抜き取った後、サイドガイド１７を斜めに傾けて押圧部２８を取付穴３０から抜き取る。
【００３１】
サイドガイド１７を給紙トレイ１３に取り付ける場合には、押圧部２８を取付穴３０に差し込んでレールガイド部１８に嵌合させ、ついで、抜け止め部２２を取付穴２９に差し込んで抜け止め部２２をレールガイド部１８に嵌合させるとともに爪部２３をガイド部１９に嵌合させることにより行なう。
【００３２】
なお、本実施の形態では、本発明の用紙幅ガイド装置を給紙トレイ１３に適用した場合を例に挙げて説明したが、本発明の用紙幅ガイド装置を原稿トレイ２において適用してもよい。
【００３３】
【発明の効果】
請求項１記載の発明の用紙幅ガイド装置によれば、トレイに形成された溝の長手方向に沿ってこのトレイの表面側に設けられたラック形状の噛み合い部と、溝の長手方向に沿ってスライド自在なサイドガイドに設けられた噛み合い操作部の噛み合い爪とを噛み合わせてサイドガイドを位置固定したとき、サイドガイドに一体形成した押圧部と噛み合い爪とによりトレイを裏面側と表面側とから挟み付けるため、噛み合い爪と噛み合い部との噛み合い状態を強固にすることができ、サイドガイドを確実に位置固定することができる。このため、トレイからの給紙動作中にサイドガイドがガイドしている用紙から離反する位置へスライドすることを防止でき、これによって給紙される用紙がスキューを生じたりこのスキューが原因となるジャムの発生を防止できる。噛み合い爪と噛み合い部との噛み合いを解除してサイドガイドを溝に沿ってスライドさせる場合には、押圧部の押圧によりサイドガイドとトレイの表面側との間のガタツキを防止でき、サイドガイドを円滑にスライドさせることができる。
【００３４】
請求項２記載の発明の用紙幅ガイド装置によれば、サイドガイドのトレイからの取り外しを容易に行なうことができ、また、サイドガイドを溝に沿ってスライド操作している間にサイドガイドが溝から外れるということを防止できる。
【００３５】
請求項３記載の発明の用紙幅ガイド装置によれば、トレイの裏面側における溝の長手方向に沿った縁部に抜け止め部と押圧部とが嵌合されるレールガイド部を形成することにより、このレールガイド部によって溝の長手方向に沿った縁部を補強でき、溝の長手方向に沿ったサイドガイドのスライド動作をスムーズに行なわせることができる。
【００３６】
請求項４記載の発明の用紙幅ガイド装置によれば、噛み合い部と噛み合い爪との噛み合い部を、サイドガイドがトレイの表面側に載置された用紙の側端部から離反する方向へスライドすることを規制するラチェット構造としたので、任意の位置で位置固定したサイドガイドが用紙の用紙幅方向の側端部から離反する方向へスライドすることを確実に防止できる。一方、ガイドする用紙の用紙幅を狭くする方向へサイドガイドをスライドさせるときは、噛み合い爪と噛み合い部とを噛み合わせた状態のままサイドガイドをスライドさせることができ、サイドガイドの固定位置の微調整を容易に行なうことができる。
【００３７】
請求項５記載の発明の画像処理装置は、用紙が搬送される用紙搬送路と、この用紙搬送路を搬送される用紙の画像を読み取る画像読取部とこの用紙搬送路を搬送される用紙に画像を形成する画像形成部との少なくとも一方と、請求項１ないし３のいずれか一記載の用紙幅ガイド装置とを有するので、この画像処理装置では、給紙動作時の振動などによりサイドガイドの噛み合い爪とトレイの噛み合い部との噛み合いが外れにくく、サイドガイドが用紙の給紙方向の側端部から離反する位置へスライドすることを防止することができ、トレイから給紙される用紙のスキューやこのスキューが原因となるジャムの発生を防止することができ、用紙に対する画像形成や用紙の画像読み取りなどの画像処理の精度を良くできる。
【図面の簡単な説明】
【図１】画像処理装置の一例である複写機の全体構造を示す側面図である。
【図２】サイドガイドを取り付けた給紙トレイを示す平面図である。
【図３】図２におけるＡ−Ａ線断面図である。
【図４】サイドガイドを取り付けた給紙トレイを示す底面図である。
【図５】サイドガイドを示す正面図である。
【図６】サイドガイドを示す右側面図である。
【図７】サイドガイドを示す左側面図である。
【符号の説明】
３        画像読取部
４        画像形成部
１１        用紙
１２        用紙搬送路
１３        トレイ
１５        溝
１７        サイドガイド
１９        ガイド部
１８        レールガイド部
２０        スライド軸部
２１        アーム部
２２        抜け止め部
２３        爪部
２４        噛み合い部
２６        噛み合い操作部
２７        噛み合い爪
２８        押圧部
２９，３０  取付穴
３１        段部
【図１】
0003590507.tif 000002
【図２】
0003590507.tif 000003
【図３】
0003590507.tif 000004
【図４】
0003590507.tif 000005
【図５】
0003590507.tif 000006
【図６】
0003590507.tif 000007
【図７】
0003590507.tif 000008